(57)【要約】【課題】  安全で便利なキックボード折畳収納自動定位構造を提供する。【解決手段】  フレーム１、スタンドパイプ２及びスピーディー組立て部品を含んでいる。スピーディー組立て部品の軸バー３１と該フレーム１前端に設置された交差板１１の横バー２１２の間には弾性部品２２が設置されている。弾性部品２２は、軸バー３１とスタンドパイプ２に設置された斜バー２１の横バー２１２が強く引かれると、斜バー２１の定位突起２１３が交差板１１の上定位口１１１或いは下定位口１１３の内の一方に定位される。【選択図】    図２
0003107429.tif 000002
【実用新案登録請求の範囲】
【請求項１】
フレーム、スタンドパイプ及びスピーディー組立て部品を含み、
該フレーム前端には２枚の交差板を設置し、該交差板前上方には上定位口と穿孔を設置し、該交差板下方には下定位口を設置し、
該スタンドパイプには斜バーを設置し、該斜バー下段には長槽を設置し、
該スピーディー組立て部品は軸バーを具え、該２枚の交差板間には該スタンドパイプの斜バーを収容し、かつ該スピーディー組立て部品の軸バーにより該交差板の穿孔と該斜バーの長槽間において穿設し、該交差板と該斜バーは可動接続し、
該スタンドパイプの斜バー下段には横バーを貫穿し、該横バー両端は該斜バーにおいて伸出し、それぞれ定位突起となり、
該スピーディー組立て部品の軸バーと該交差板の横バー間には弾性部品が設置され、該弾性部品は該スピーディー組立て部品の軸バーと該斜バーの横バーが強く引かれると、該斜バーの定位突起は該交差板の上定位口或いは下定位口の内の一方において定位されることを特徴とするキックボード折畳収納自動定位構造。
【請求項２】
該斜バー上には緩衝ブロックを設置し、該スタンドパイプと該フレーム組立時に両者間において支えることを特徴とする請求項１記載のキックボード折畳収納自動定位構造。
【考案の詳細な説明】
【技術分野】
【０００１】
本考案はキックボード折畳収納自動定位構造に関する。特にスピーディー組立て部品の軸バーとフレーム前端の交差板の横バー間に弾性部品を設置し、該弾性部品により該スピーディー組立て部品の軸バーと交差板の横バーを強く引き、組立或いは折畳時にスタンドパイプとフレームを自動的に固定するキックボード折畳収納自動定位構造に係る。
【背景技術】
【０００２】
公知のキックボード折畳構造は通常、ボルト及びウィングナットを可動接続軸とし、キックボードフレーム前端とハンドルのスタンドパイプの斜管上及び対応設置する穿孔において、ボルトの穿孔への穿過を利用し、ウィングナットにより螺合固定するものである。また、展開時にはウィングナットを緩める。
【０００３】
しかし、該構造は操作上非常に不便でかつ危険である。なぜなら、ウィングナットを一旦緩めると、ハンドルスタンドパイプは即、相対的に回転を始め、少しの不注意でハンドルスタンドパイプを握っていなければ、使用者或いは他人にぶつかり怪我を負わせ、または物品にぶつかり損壊する可能性がある。
【考案の開示】
【考案が解決しようとする課題】
【０００４】
公知構造には以下の欠点があった。
本考案は上記構造の問題点を解決したキックボード折畳収納自動定位構造を提供するものである。
【課題を解決するための手段】
【０００５】
上記課題を解決するため、本考案によるキックボード折畳収納自動定位構造は、フレーム、スタンドパイプ、スピーディー組立て部品を含み、該フレーム前端には２枚の交差板を設置し、該交差板前上方には上定位口と穿孔を設置し、該交差板下方には下定位口を設置し、該スタンドパイプには斜バーを設置し、該斜バー下段には長槽を設置し、該スピーディー組立て部品は軸バーを具え、該２枚の交差板間には該スタンドパイプの斜バーを収容し、かつ該スピーディー組立て部品の軸バーにより該交差板の穿孔と該斜バーの長槽間において穿設し、該交差板と該斜バーは可動接続し、該スタンドパイプの斜バー下段には横バーを貫穿し、該横バー両端は該斜バーにおいて伸出し、それぞれ定位突起となり、該スピーディー組立て部品の軸バーと該交差板の横バー間には弾性部品を設置し、該弾性部品は該スピーディー組立て部品の軸バーと該斜バーの横バーを強く引き、該斜バーの定位突起は該交差板の上定位口或いは下定位口の内の一方において定位する。
【０００６】
上記のように、本考案は公知のキックボード折畳構造に比べ、折畳操作過程において、フレームとスタンドパイプの相対的定位を保持するため、揺れ、動き、倒れ、或いは人員又は物品を傷つける恐れがなく、操作の利便性と自動定位の機能を達成する。
【考案を実施するための最良の形態】
【０００７】
図１及び図２に示すように、本考案の一実施形態によるキックボード折畳構造はフレーム１、スタンドパイプ２とスピーディー組立て部品３により構成する。
該フレーム１前端には２枚の交差板１１を設置し、該交差板１１前上方には上定位口１１１と穿孔１１２を設置し、該交差板１１下方には下定位口１１３を設置する。
該スタンドパイプ２は斜バー２１を設置し、該斜バー２１下段には長槽２１１を設置する。
【０００８】
該スピーディー組立て部品３は軸バー３１を具え、該２枚の交差板１１間に該スタンドパイプ２の斜バー２１を収容する。かつ該スピーディー組立て部品３の軸バー３１により該交差板１１の穿孔１１２と該斜バー２１の長槽２１１間において穿設し、該交差板１１と該斜バー２１は可動接続する。
該スタンドパイプ２の斜バー２１下段には横バー２１２を貫穿し、該横バー２１２両端は斜バー２１から伸出し、それぞれ１個の定位突起２１３とする。
【０００９】
該スピーディー組立て部品３の軸バー３１と該交差板１１の横バー２１２間には弾性部品２２を設置し、該弾性部品２２により該スピーディー組立て部品３の軸バー３１と該斜バー２１の横バー２１２を強く引き、これにより該斜バー２１の定位突起２１３は該交差板１１の上定位口１１１或いは該下定位口１１３の一方において定位される。
また該斜バー２１上には別に緩衝ブロック２３を設置し、該スタンドパイプ２と該フレーム１の組立時には両者間を支える。
【００１０】
折畳時には、図１に示すように、先ず該スピーディー組立て部品３を緩め、該スタンドパイプ２を押し、該定位突起２１３は該下定位口１１３から離脱する。これに続き、該弾性部品２２の引力は該定位突起２１３を該交差板１１の外縁において支え、該定位突起２１３は該上定位口１１１に係合する。並びに該フレーム１と該スタンドパイプ２は相対的に折畳まで図３に示す形態となる。こうして該スピーディー組立て部品３を緊密に固定し、該フレーム１と該スタンドパイプ２は固定され折畳収納される。
【００１１】
該フレーム１と該スタンドパイプ２を組立てる時には、該スピーディー組立て部品３を緩めるだけで、該スタンドパイプ２を押し該定位突起２１３を該上定位口１１１から離脱させる。これに続き、該弾性部品２２の引力は該定位突起２１３を該交差板１１の外縁において支え、該定位突起２１３を該下定位口１１３に係合する。かつ該緩衝ブロック２３は該スタンドパイプ２と該フレーム１両者間において支えられ、こうして該フレーム１と該スタンドパイプ２を組立てることができる。
【図面の簡単な説明】
【００１２】
【図１】本考案の一実施形態によるキックボード折畳構造を示す側面図である。
【図２】本考案の一実施形態によるキックボード折畳構造を示す局部断面図(側面図)である。
【図３】本考案の一実施形態によるキックボード折畳構造を示す図(折畳状態)である。
【符号の説明】
【００１３】
１  フレーム、２  スタンドパイプ、３  スピーディー組立て部品、１１  交差板、２１  斜バー、２２  弾性部品、２３  緩衝ブロック、３１  軸バー、１１１  上定位口、１１２  穿孔、１１３  下定位口、２１１  長槽、２１２  横バー、２１３  定位突起
【図１】
0003107429.tif 000003
【図２】
0003107429.tif 000004
【図３】
0003107429.tif 000005